(57)【特許請求の範囲】
【請求項１】
着脱可能な可搬型記録媒体を装着する装着手段と、
装着された前記可搬型記録媒体に対してデータの読み出しを行う外部メモリ制御手段と、
携帯端末装置から呼び出すことができ、前記可搬型記録媒体の中にデータを保存できる全機能の一覧を保持する機能一覧保持手段と、
操作者に前記機能一覧保持手段が保持する全機能の一覧を提示する表示制御手段と、
提示された一覧の中から操作者が閲覧を所望するデータの機能を選択した場合に、前記外部メモリ制御手段を用いて前記可搬型記録媒体に記録されている当該機能のデータを呼び出す制御手段と、
携帯端末装置にデータを提供する外部サーバと通信を行う通信手段と、
前記通信手段を用いて取得したデータの保存先を設定する設定手段であって、前記取得したデータを全て前記可搬型記録媒体に記録させるよう保存先を設定した設定手段と、を有し、
前記制御手段は、前記可搬型記録媒体からデータを呼び出す呼出口としては単一の呼出口であり、
前記機能一覧保持手段は作業メモリであり、前記作業メモリは、前記全機能の一覧を保持するものであり、前記通信手段を用いて取得したデータを保存するものであり、
前記可搬型記録媒体には、前記機能のデータの他に、前記機能自体のプログラムも記録されることを特徴とする、携帯端末装置。
【請求項２】
前記単一の呼出口とは、全てのデータ及び機能の呼出口であることを特徴とする、請求項１記載の携帯端末装置。
【請求項３】
着脱可能な可搬型記録媒体を装着する装着手段を有する携帯端末装置の制御方法であって、
携帯端末装置にデータを提供する外部サーバと通信を行う通信工程と、
前記通信工程で取得したデータの保存先を設定する設定工程であって、前記取得したデータを全て前記可搬型記録媒体に記録させるよう保存先を設定する設定工程と、
前記通信工程で取得したデータを作業メモリに保存する保存工程と、
携帯端末装置から呼び出すことができ、前記可搬型記録媒体の中にデータを保存できる全機能の一覧を前記作業メモリに保持する機能一覧保持工程と、
操作者に前記機能一覧保持工程により保持された全機能の一覧を提示する表示制御工程と、
提示された一覧の中から操作者が閲覧を所望するデータの機能を選択した場合に、装着された前記可搬型記録媒体に対してデータの呼び出しを行う外部メモリ制御工程と、
呼び出されたデータに基づいて前記可搬型記録媒体に記録されている前記機能のデータを読み込む読込工程と、を含み、
前記外部メモリ制御工程は、前記可搬型記録媒体からデータを呼び出すために必ず経る工程であり、
前記可搬型記録媒体には、前記機能のデータの他に、前記機能自体のプログラムも記録されることを特徴とする、携帯端末装置の制御方法。
【請求項４】
着脱可能な可搬型記録媒体を装着する装着手段を有する携帯端末装置を、
装着された前記可搬型記録媒体に対してデータの読み出しを行う外部メモリ制御手段と、
携帯端末装置から呼び出すことができ、前記可搬型記録媒体の中にデータを保存できる全機能の一覧を保持する機能一覧保持手段と、
操作者に前記機能一覧保持手段が保持する全機能の一覧を提示する表示制御手段と、
提示された一覧の中から操作者が閲覧を所望するデータの機能を選択した場合に、前記外部メモリ制御手段を用いて前記可搬型記録媒体に記録されている当該機能のデータを呼び出す制御手段と、
携帯端末装置にデータを提供する外部サーバと通信を行う通信手段と、
前記通信手段を用いて取得したデータの保存先を設定する設定手段であって、前記取得したデータを全て前記可搬型記録媒体に記録させるよう保存先を設定した設定手段と、として機能させ、
前記制御手段は、前記可搬型記録媒体からデータを呼び出す呼出口としては単一の呼出口であるよう機能させ、
前記機能一覧保持手段は、前記全機能の一覧を保持するよう機能させ、前記通信手段を用いて取得したデータを保存するよう機能させるものであり、
前記可搬型記録媒体には、前記機能のデータの他に、前記機能自体のプログラムも記録されることを特徴とする、プログラム。
【請求項５】
請求項４記載のプログラムをコンピュータ読取可能な形式で記録したことを特徴とする、記録媒体。
【発明の詳細な説明】
【技術分野】
【０００１】
本発明は、携帯端末装置、その制御方法、プログラム及び記録媒体に関し、特に、着脱可能な可搬型記録媒体を扱う携帯端末装置のデータ保存方法に関する。
【背景技術】
【０００２】
本発明に関連する技術として、例えば、特許文献１に記載の技術を挙げる。特許文献１は、複数の機能を選択的に実行可能であり且つ発行後に内部の機能を柔軟に変更可能なＩＣカードを利用する装置に関して、複数の機能の機能名をあらかじめ管理テーブルに登録しておき要求に応じて参照することについて記載がある（例えば、段落０１７１ないし０１７４等参照）。
【特許文献１】特開２０００−３４７８６９号公報
【発明の開示】
【発明が解決しようとする課題】
【０００３】
携帯端末装置の中でも、例えば、携帯電話は、外部メモリカードに電話帳、メール、カメラ撮影画像、音楽などの種々のデータを保存できるが、外部メモリカードのデータを呼び出す場合は、携帯電話本体のそれぞれの機能から呼び出す方法が主流である。
【０００４】
せっかくの外部メモリカードであれば、各機能からだけでなく外部メモリカードのデータ全体の機能の呼び出し口を機能として用意すればパーソナルコンピュータなどから取り込んだ複数の種類のデータをいちいち各機能を呼び出すことなく内容を確認できたらよい。しかしながら、そのような機能は、提供されていないのが現状である。なお、ここで言う外部メモリカードは、例えば、ＳＤカードのような着脱可能な可搬型記録媒体を指す。
【０００５】
そこで本発明は、上記実情に鑑みて、可搬型記録媒体に対して入出力をすることが可能な携帯端末装置において、可搬型記録媒体からデータを呼び出す呼出口を少数にすることを目的とする。
【課題を解決するための手段】
【０００６】
上記目的を達成するために本発明は、以下の特徴を備えることとする。
【０００７】
本発明に係る携帯端末装置は、着脱可能な可搬型記録媒体を装着する装着手段と、装着された前記可搬型記録媒体に対してデータの読み出しを行う外部メモリ制御手段と、携帯端末装置から呼び出すことができ、前記可搬型記録媒体の中にデータを保存できる全機能の一覧を保持する機能一覧保持手段と、操作者に前記機能一覧保持手段が保持する全機能の一覧を提示する表示制御手段と、提示された一覧の中から操作者が閲覧を所望するデータの機能を選択した場合に、前記外部メモリ制御手段を用いて前記可搬型記録媒体に記録されている当該機能のデータを呼び出す制御手段と、を有し、前記制御手段は、前記可搬型記録媒体からデータを呼び出す呼出口としては単一の呼出口であることを特徴とする。
【０００８】
本発明に係る携帯端末装置の制御方法は、着脱可能な可搬型記録媒体を装着する装着手段を有する携帯端末装置の制御方法であって、携帯端末装置から呼び出すことができ、前記可搬型記録媒体の中にデータを保存できる全機能の一覧を保持する機能一覧保持工程と、操作者に前記機能一覧保持工程により保持された全機能の一覧を提示する表示制御工程と、提示された一覧の中から操作者が閲覧を所望するデータの機能を選択した場合に、装着された前記可搬型記録媒体に対してデータの読み出しを行う外部メモリ制御工程と、読み出されたデータに基づいて前記可搬型記録媒体に記録されている前記機能のデータを呼び出す呼出工程と、を含み、前記呼出工程は、前記可搬型記録媒体からデータを呼び出すために必ず経る工程であることを特徴とする。
【０００９】
本発明に係るプログラムは、着脱可能な可搬型記録媒体を装着する装着手段を有する携帯端末装置を、装着された前記可搬型記録媒体に対してデータの読み出しを行う外部メモリ制御手段と、携帯端末装置から呼び出すことができ、前記可搬型記録媒体の中にデータを保存できる全機能の一覧を保持する機能一覧保持手段と、操作者に前記機能一覧保持手段が保持する全機能の一覧を提示する表示制御手段と、提示された一覧の中から操作者が閲覧を所望するデータの機能を選択した場合に、前記外部メモリ制御手段を用いて前記可搬型記録媒体に記録されている当該機能のデータを呼び出す制御手段と、として機能させ、前記制御手段は、前記可搬型記録媒体からデータを呼び出す呼出口としては単一の呼出口であるよう機能させることを特徴とする。
【００１０】
本発明に係る記録媒体は、上記プログラムをコンピュータ読取可能な形式で記録したことを特徴とする。
【発明の効果】
【００１１】
本発明によれば、可搬型記録媒体に対して入出力をすることが可能な携帯端末装置において、可搬型記録媒体からデータを呼び出す呼出口を少数にすることが可能となる。
【発明を実施するための最良の形態】
【００１２】
以下、本発明の好適な実施の形態について図面を参照して説明する。なお、以下では、本発明を携帯電話機に適用した実施形態について説明する。
【００１３】
図１は、本実施形態に係る携帯電話機１（図２において図示する）が提供する各機能を制御する機能制御部１００が備える機能を示す機能ブロック図である。本実施形態の機能制御部１００は、制御部１１０と、外部メモリ制御部１２０と、表示制御部１３０とを備える。本実施形態に係る携帯電話機１は、図１に示すような各機能によって、装着した外部メモリカードが記録するデータの呼出口を一括化する。なお、ここで言う外部メモリカードは、例えば、ＳＤカードのような着脱可能な可搬型記録媒体を指す。
【００１４】
図１中には、各制御部の有する機能も図示している。制御部１１０は、外部メモリ制御部１２０を用いて外部メモリ内に記録されているデータを呼び出す機能である外部メモリデータ呼出機能１１１と、外部メモリ制御部１２０が読み出した外部メモリのデータを携帯電話機１内に読み込む機能である外部メモリデータ読込機能１１２と、を有する。
【００１５】
外部メモリ制御部１２０は、制御部１１０による外部メモリ内のデータの呼出指示を受けて、外部メモリからデータを読み出す機能である外部メモリデータ読出機能１２１を有する。また、表示制御部１３０は、携帯電話機１内に読み込まれた外部メモリ内のデータを表示する機能である外部メモリデータ表示機能１３１を有する。すなわち、表示制御部１３０は、携帯電話機１にユーザインタフェースを提供する。
【００１６】
本実施形態の構成を図１において更に詳しく説明する。まず、表示制御部１３０が、外部メモリカードに保存できる全機能を列挙する。次に、操作者が閲覧を所望するデータの機能を選択するといった操作者の操作に応じて、制御部から閲覧したい機能のデータを外部メモリカードから呼び出す。読み出されたデータは本体からデータの読み込みを行い、そのデータを表示させる。
【００１７】
本実施形態においては、操作者が外部メモリカード内のデータにアクセスしようとする際に、まず、表示制御部１３０が、外部メモリカードに保存できる全機能を列挙するので、本実施形態は、外部メモリカードのデータ呼出口を一括化することができる。すなわち、携帯電話からＳＤカードなどの外部メモリカードへ保存した各機能のデータの呼び出し口をそれぞれの機能ごとからではなく、外部メモリーカードデータの呼び出し口として一つの場所から呼び出す事ができる。
【００１８】
なお、上記、列挙する全機能は、携帯電話機１から呼び出すことができるものでなければ後段の処理が無意味になるので、携帯電話機１から呼び出すことができるものであることが好ましい。また、列挙する全機能の一覧は、あらかじめ携帯電話機１内の作業メモリ５（図２を参照して後述）等に保持しておく。
【００１９】
図１に示した本実施形態の機能構成は、図２に示すような構成のハードウェアを用いるソフトウェアプログラムによって実現する。また、当該ソフトウェアプログラムは、外部メモリカード等の可搬型記録媒体に、携帯電話機１やコンピュータで読取可能な形式で記録させることができる。このような記録媒体によれば、本実施形態が実現する効果を他の端末においても実現することができ、可搬性が高まる。
【００２０】
図２は、本実施形態のハードウェア構成例を示す図である。携帯電話機１は、中央演算処理装置（以下、「ＣＰＵ」という）２を搭載しており、ＣＰＵ２は、バス３を介して装置内の各部と接続されている。ＲＯＭ（Read Only Memory）４は、ＣＰＵ２が実行するための制御プログラム等の固定的なデータを格納する。作業メモリ５は、ＲＡＭ（Random Access Memory）によって構成されており、ＣＰＵ２がプログラムを実行する上で一時的に必要とされるデータを格納するようになっている。
【００２１】
キー入力部６は、キー７の入力を受け付ける入力回路である。通信制御部８は、外部メモリ読み出し口９との通信を制御する制御回路である。外部メモリ読み出し口９は、外部メモリカードと本体のデータのやりとりを行う装置である。図２の回路により行う動作を簡潔に示したものが上述の図１となる。
【００２２】
次に、図１の動作を図３に示すフローチャートにて説明する。図３は、本実施形態の動作を示すフローチャートである。図３において、「外部メモリデータ呼び出し機能」を呼び出し（ステップＳ１）、外部メモリカードの中に保存できる全機能の中から呼び出したい機能を選択する（ステップＳ２）。その後、外部メモリカードからステップＳ２で選択したデータを呼び出し（ステップＳ３）、そのデータを読み込む（ステップＳ４）。読み込んだ後はそのデータを表示する（ステップＳ５）。
【００２３】
本実施形態の効果は、携帯電話から呼び出すことができる外部メモリカードの全データ・機能に対して、全て同じところからデータを呼び出せるようにしたことである。従来の機種では、外部メモリカードのデータであろうとも読み出したいデータの機能を呼び出してからでないと、そのデータを呼び出すことができなかった。本実施形態の機能を搭載することによって、外部メモリカードに保存されている電話帳データ、画像データなどの複数の異なる種類のデータを各機能から呼び出して一つ一つ確認するよりも、一つの呼び出し口から呼び出すことができる。その結果、データを呼び出すためのステップ数の軽減が実現する。
【００２４】
また、本実施形態においては、外部メモリカードの呼び出し口が共通であるため、携帯電話のサイトからダウンロードしたデータを全て外部メモリカードに保存させる設定にしておけば、携帯電話内部のデータ保存容量がいっぱいになることがなく、且つ、毎回同じ呼び出し口から呼び出せばよくなり、データ表示までの操作手順が簡潔になる。このような構成の実施形態を、図４に示す。
【００２５】
図４において、機能制御部１００は、上述の可搬型記録媒体に対して入出力をすることが可能な携帯端末装置において、可搬型記録媒体からデータを呼び出す呼出口を少数にするための構成に加えて、更に、通信制御部１４０と設定制御部１５０を備える。通信制御部１４０は、携帯電話機１のデータ通信を制御する機能を有し、装置外にある外部サーバからデータを受信することができる。受信したデータは、通信制御部１４０が所定の記憶手段（例えば、図２の作業メモリ５等）に保存する。ここで、設定制御部１５０は、通信制御部１４０が外部サーバから得たデータの保存先を設定する機能を有し、本実施形態においては、設定制御部１５０によって保存先を全て外部メモリカードに保存させる設定である。
【００２６】
以上、本発明の好適な実施の形態について説明したが、本発明はこれに限定されるものではなく、要旨を逸脱しない範囲内で種々の変形実施が可能である。
【図面の簡単な説明】
【００２７】
【図１】本発明による実施形態の機能構成を示すブロック図である。
【図２】本発明による実施形態のハードウェア構成例を示すブロック図である。
【図３】本発明による実施形態の動作を示すフローチャートである。
【図４】本発明による他の実施形態の機能構成を示すブロック図である。
【符号の説明】
【００２８】
１    携帯電話機
２    ＣＰＵ
３    バス
４    ＲＯＭ
５    作業メモリ
６    キー入力部
７    キー
８    通信制御部
９    外部メモリ読出口
１００    機能制御部
１１０    制御部
１１１    外部メモリデータ呼出機能
１１２    外部メモリデータ読込機能
１２０    外部メモリ制御部
１２１    外部メモリデータ読出機能
１３０    表示制御部
１３１    外部メモリデータ表示機能
１４０    通信制御部
１５０    設定制御部
【図１】
0005808881.tif 000002
【図２】
0005808881.tif 000003
【図３】
0005808881.tif 000004
【図４】
0005808881.tif 000005